(57)【要約】キャップが、本体１および弾性ガスケット２から構成され、これらは互いに分解することができない。瓶の首１１に、互いの角度が１８０°であるよう両側に対称的に突起５が形成され、この突起を中心としてキャップが運動できる。キャップの両側に肩部４が形成され、瓶の首１１の突起５へと取り付けられる。肩部４の下端、かつ突起５と接する位置に、溝７が形成されている。キャップの肩部４の下端において、膨らんだ形状６が両側に対称的に形成されている。同じ場所に、丸突起８と凹所１０とを備える溝７も展開している。本体１の肩部４は、心棒９によって接続されている。心棒９には、引っ張りのための部位１２が形成されている。
2005538905.tif 000002
【特許請求の範囲】
【請求項１】
本体（１）および弾性ガスケット（２）からなる瓶のキャップであって、
・本体（１）と弾性ガスケット（２）とを互いに分解することができず、
・瓶の首（１１）に、互いの角度が１８０°であるよう両側に対称的に、２つの突起（５）が形成され、
・突起（５）の平面、かつキャップの本体（１）の両側に、瓶の首（１１）の突起（５）へと取り付けられる肩部（４）が形成され、
・肩部（４）の下端、かつ突起（５）と接する位置に、丸突起（８）と凹所（１０）とを備える２つの溝（７）が形成されている
ことを特徴とする瓶のキャップ。
【請求項２】
前記キャップの肩部（４）の下端において、膨らんだ形状（６）が両側に対称的に形成されていることを特徴とする請求項１に記載の瓶のキャップ。
【請求項３】
前記本体（１）の２つの肩部（４）が、引っ張りのための部位（１２）が形成されてなる心棒（９）によって接続されていることを特徴とする請求項１に記載の瓶のキャップ。
【請求項４】
前記弾性ガスケット（２）が、圧縮下での弾性変形を可能にする材料で作られていることを特徴とする請求項１に記載の瓶のキャップ。
【発明の詳細な説明】
【技術分野】
【０００１】
本発明は、産業の分野に関係し、詳しくは、瓶のキャップの新規な構成に関する。
【背景技術】
【０００２】
容器に１つ以上の開口と可動の蓋とを備えてなる自動閉鎖式のキャップに関する設計［特許文献１］が、この技術分野において公知である。蓋は、１つ以上の開口を有しており、第１の位置である開放位置と第２の位置である閉鎖位置とを占めることができる。第１の位置である開放位置においては、容器の開口が蓋の開口に一致する。第２の位置である閉鎖位置においては、容器の開口が蓋の開口と一致していない。液体が、ちょうど容器と蓋の間を取り、自身を閉鎖位置にある蓋の下方に自動的に位置させる。さらに、蓋の内側には１つ以上の突起が備えられており、蓋が閉鎖位置にあるとき、容器の開口を塞いでいる。
【０００３】
この設計は、構成が複雑であり、キャップの製作が比較的高価につくため、ミネラルウォータを保存する瓶のキャップの大量生産に使用することが不可能であるという欠点を有している。
【特許文献１】米国特許第５９５０８８１号明細書
【発明の開示】
【発明が解決しようとする課題】
【０００４】
ここに提案する設計の目的は、前記の欠点を取り除くとともに、最大限にコンパクト、簡潔かつ効果的な物品、すなわち、キャップそのものの材料ならびにキャップが取り付けられる瓶の材料の種類にかかわらず複数回の使用に適している新規な構成のキャップを生み出すことにある。
【課題を解決するための手段】
【０００５】
本発明によれば、本体および弾性ガスケットからなる瓶のキャップであって、これらを互いに分解することができない瓶のキャップが生み出される。
【０００６】
瓶の首に、互いに１８０°の角度で両側に対称的に、２つの突起が形成されている。
【０００７】
キャップの本体の両側に肩部が形成され、それら肩部が、前記突起のための溝にて、瓶の首に取り付けられる。肩部の下端において、肩部が前記突起と接する位置に、丸突起と凹所とを備える溝が形成されている。さらに、キャップの肩部の下端には、膨らんだ形状が、両側に対称的に形成されている。本体の２つの肩は、心棒によって接続されている。この心棒には、引っ張りのための部位が形成されている。
【０００８】
弾性ガスケットは、圧縮下での弾性変形を可能にする材料で作られている。
【０００９】
この設計の利点は、まったく新しい構成による物品の最大限のコンパクトさ、簡潔さ、および効率性である。
【発明を実施するための最良の形態】
【００１０】
本発明を、以下の例によって説明する。キャップは、金属、磁器、プラスチック、および他の合成材料など、種々の材料から製造することができる。キャップは、本体１および弾性ガスケット２からなり、これらは、おそらくは互いに分解することができない。
【００１１】
弾性ガスケット２は、圧縮が加わったときに弾性変形できる材料で作られている。
【００１２】
突起５が、瓶の首１１に形成され、互いの角度が１８０°であるように両側に対照的に位置しており、この突起５を中心にしてキャップが運動する。
【００１３】
弾性ガスケット２の底部は、球の一部として形成されている。
【００１４】
キャップの両側に、肩部４が形成されており、瓶の首１１の突起５へと取り付けられている。キャップの肩部４の下端に、膨らんだ形状６が、両側に対称的に形成されている。同じ場所に、丸突起８と凹所１０とを有する溝７も設けられている。キャップの本体１の２つの肩部４は、心棒９によって接続されている。心棒９には、引っ張りのための部位１２が形成されている。
【産業上の利用可能性】
【００１５】
このキャップは、迅速な注ぎ出しを行なうことができる液体用の瓶に使用可能である。
【００１６】
キャップの本体が瓶の口を覆っている。閉鎖位置において、本体の底部に位置する弾性ガスケットが、瓶の口の縁に接触している。ガスケットが圧縮され、キャップに対して変形の圧力を生じさせ、キャップが容易に動かないようにする。キャップの肩部の下端に形成された、膨らんだ形状を引っ張ったとき、キャップが、溝の形状と溝内に位置する突起とによって確保された自由度に従って移動する。２つの肩部を接続している心棒を引っ張って、開放を行なうことも可能である。この部位は、指をこの部位に置き、引っ張ることによって瓶の開放を実現できるような寸法を備えて形成されている。このように、キャップは、突起を中心として回転することができ、さらに、溝の下端に形成された丸突起によって、瓶が揺れた場合でも閉じることがないよう、自身を最終位置に固定することができる。
【００１７】
瓶の閉鎖は、逆のやり方で行なわれる。キャップを瓶の口の上方に位置させ、さらにキャップの本体の２つの肩部を接続している心棒を押し込むことによって、突起が凹所に入り込むとともに、弾性ガスケットが変形して瓶の首をぴったりと塞ぐ。
【００１８】
キャップは、自身の肩部を介して瓶の首へと可動に取り付けられているため、瓶から外れることがない。この新規な構成のキャップによれば、瓶からキャップが外れることなく、瓶を何度も開放および閉鎖することが可能である。瓶を片手で、すなわち瓶をつかんでいる手で、開放および閉鎖することができる。施栓が、弾性ガスケットが圧縮されることによって確実にされ、同時に、弾性ガスケットの圧縮が、肩部によって保持された円筒形の本体および瓶の首に対し、変形による圧力を生む。細い糸によってキャップの本体へと取り付けられたリングが、購入前に瓶が開放されたことがないことを顧客に対して保証するように機能する。最初に瓶を開放するとき、この糸が引き裂かれ、キャップを動かすことができるようになる。
【図面の簡単な説明】
【００１９】
【図１】キャップを肩部と平行な視点で示している。
【図２】キャップを開放位置に有する瓶の図である。
【図３】キャップの肩部と平行な図である。
【図４】瓶の突起を通過する縦断面である。
【図１】
2005538905.tif 000003
【図２】
2005538905.tif 000004
【図３】
2005538905.tif 000005
【図４】
2005538905.tif 000006
【国際調査報告】
2005538905.tif 000007
2005538905.tif 000008